(57)【特許請求の範囲】
【請求項１】
内側にバッテリーポストを差し込んで取り付けることが可能な、湾曲板形状に構成された弧状の締付部と、
この締付部の弧の両端部分から外向きに延びる一対の受け部と、
前記締付部に接続するように一体的に形成され、電線及び他部品のうち少なくとも何れかを電気的に接続可能な接続部が形成された平板部と、
前記締付部に接続するように一体的に形成され、前記平板部に対して機械的に固定される補助部と、
を備え、
前記バッテリーポストの差込方向に平行な方向において、前記湾曲板形状である前記締付部の一端部に前記平板部が接続され、他端部に前記補助部が接続され、
前記補助部は、
前記湾曲板形状の前記締付部における前記他端部に接続する部分においてほぼ１８０°曲げられて形成された折返し部と、
前記締付部の外側近傍で当該締付部に沿って延びる第１補助部と、
前記平板部と前記締付部との接続箇所の近傍に配置された曲げ部と、
前記平板部に沿って延びる第２補助部と、
を有することを特徴とするバッテリー端子。
【請求項２】
請求項１に記載のバッテリー端子であって、
前記補助部は、当該補助部及び前記平板部のうち少なくとも何れか一方に形成された挟み部によって、前記平板部に対して機械的に固定されていることを特徴とするバッテリー端子。
【発明の詳細な説明】
【技術分野】
【０００１】
本発明は、バッテリーに対して電線等を接続するためのバッテリー端子の構成に関する。
【背景技術】
【０００２】
特許文献１は、この種のバッテリー端子を開示する。特許文献１のバッテリーターミナルは、バッテリーポストに外嵌される弧状の締付け部と、この締付け部の弧の両端から径方向外向きに延出する一対の延出部と、この一対の延出部をボルトとナットにより接近させることで前記締付け部を縮径変形させる締付け手段と、を備えている。また、締付け部の後端下縁には低い箱状の保持部が連成されており、この保持部に取り付けられたスタッドボルトに対し、電線の端末部に固着した取付金具がナットによって固定されるようになっている。
【先行技術文献】
【特許文献】
【０００３】
【特許文献１】特開２００１−１９６０４６号公報
【発明の概要】
【発明が解決しようとする課題】
【０００４】
特許文献１のようなバッテリー端子を例えば車両用のバッテリーに用いる場合、装置の筐体等、ある程度の重量を有する部材を保持部に対して取り付ける必要が生じることがある。しかし、上記特許文献１の構成では、そのような重量物を保持部に取り付けた場合、弧状の締付け部と平板状の保持部との接続部分（境界部分）において負荷の集中が発生し易い構造となっている。従って、車両の振動等によって大きな負荷が当該境界部分に繰り返し作用することにより、その部分において破断が発生するおそれがあった。
【０００５】
本発明は以上の事情に鑑みてされたものであり、その目的は、バッテリー端子において、平板部に重量物を取り付けた場合でも破断しにくい構成を提供することにある。
【課題を解決するための手段及び効果】
【０００６】
本発明の解決しようとする課題は以上の如くであり、次にこの課題を解決するための手段とその効果を説明する。
【０００７】
本発明の観点によれば、以下の構成のバッテリー端子が提供される。即ち、このバッテリー端子は、弧状の締付部と、一対の受け部と、平板部と、補助部と、を備える。前記締付部は、湾曲板形状に構成され、その内側には、バッテリーポストを差し込んで取り付けることが可能である。前記一対の受け部は、前記締付部の弧の両端部分から外向きに延びる。前記平板部は、前記締付部に接続するように一体的に形成される。また、前記平板部には、電線及び他部品のうち少なくとも何れかを電気的に接続可能な接続部が設けられる。前記補助部は、前記締付部に接続するように一体的に形成され、前記平板部に対して機械的に固定される。前記バッテリーポストの差込方向に平行な方向において、前記湾曲板形状である前記締付部の一端部に前記平板部が接続され、他端部に前記補助部が接続される。前記補助部は、折返し部と、第１補助部と、曲げ部と、第２補助部と、を有する。前記折返し部は、前記湾曲板形状の前記締付部における前記他端部に接続する部分においてほぼ１８０°曲げられて形成される。前記第１補助部は、前記締付部の外側近傍で当該締付部に沿って延びる。前記曲げ部は、前記平板部と前記締付部との接続箇所の近傍に配置される。前記第２補助部は、前記平板部に沿って延びる。
【０００８】
これにより、平板部と締付部との間の接続部分を、補助部によって機械的に補強することができる。従って、平板部の接続部に電線や他の部材を接続した状態で例えば振動が加わったとしても、平板部と締付部との間の接続部分に加わる負荷を抑制し、当該接続部分の破断を防止することができる。また、補助部の曲げ部を、平板部と前記締付部との接続箇所の近傍に位置させることができる。従って、平板部の根元部分に加わる負荷を良好に抑制することができる。更に、締付部と平板部との接続部分を含んだ広い範囲について、補助部によって効果的に補強することができる。
【００１３】
前記のバッテリー端子においては、前記補助部は、当該補助部及び前記平板部のうち少なくとも何れか一方に形成された挟み部によって、前記平板部に対して機械的に固定されていることが好ましい。
【００１４】
これにより、簡素且つ低コストな構成によって、補助部を平板部に対して機械的に固定することができる。
【図面の簡単な説明】
【００１５】
【図１】本発明の第１実施形態に係るバッテリー端子の全体的な構成を示す斜視図。
【図２】比較例のバッテリー端子の斜視図。
【図３】第２実施形態のバッテリー端子の斜視図。
【発明を実施するための形態】
【００１６】
次に、図面を参照して本発明の実施の形態を説明する。図１は、本発明の第１実施形態に係るバッテリー端子１１の全体的な構成を示す斜視図である。図２は、比較例のバッテリー端子１００を示す斜視図である。
【００１７】
図１に示すバッテリー端子１１は、導電性を有する適宜の金属素材からなる板部材を曲げて構成されている。このバッテリー端子１１は、締付部２１と、一対の受け部３１，３１と、平板部４１と、延長部（補助部）５１と、が一体的に形成された構成となっている。
【００１８】
締付部２１は、平板を円弧状に湾曲させた形状に構成されている。この締付部２１の内側には、図示しないバッテリーポストを挿入できるようになっている。このバッテリーポストは、一般的には円錐状又は円筒状に形成されており、図略のバッテリーの上面に設けられている。
【００１９】
受け部３１，３１は、締付部２１の輪郭である弧の両端部に相当する箇所において、締付部２１に対して一体的に接続するように形成されている。一対の受け部３１，３１は、弧状の締付部２１の開放側を挟むようにして互いにほぼ平行に配置され、その間には所定の隙間が形成されている。それぞれの受け部３１は、締付部２１との接続箇所から外向きに延びるように矩形状に形成され、その中央部には、図示しない締付ボルト（締付具）を差し込むための貫通状の差込孔３２が形成されている。一対の受け部３１，３１は互いに同一の形状とされ、差込孔３２，３２は、互いに対応する位置に配置されている。
【００２０】
この構成で、一対の受け部３１，３１の差込孔３２に締付ボルトを差し込んで回転させると、受け部３１，３１は締付ボルトの締付力を受けて、互いに近づくように移動する。この結果、締付部２１が縮径方向に変形して内側のバッテリーポストを締め付けるので、バッテリー端子１１をバッテリーポストに固定することができる。
【００２１】
平板部４１は、締付部２１に接続するようにして一体的に形成されている。平板部４１が締付部２１に対して接続する位置は、締付部２１に対してバッテリーポストが差し込まれる方向に平行な方向（以下、「抜差し方向」と称する）の一端側であって、締付部２１がなす弧状の輪郭の中央部となっている。
【００２２】
また、平板部４１の根元部分４８（平板部４１と締付部２１とが接続する部分）においては、バッテリー端子１１を構成する板部材が大きな角度で（具体的には、ほぼ９０°の角度で）曲げられている。そして、根元部分４８の両側の縁は若干折り曲げられて一対の立上げ部４９，４９が形成されており、これにより、根元部分４８の剛性が向上されている。
【００２３】
平板部４１は、締付部２１から離れる方向に所定距離だけ延びる第１平板部４３と、その向きを９０°変えて更に所定距離だけ延びる第２平板部４４と、を有している。従って、前記抜差し方向で見たときに、平板部４１の形状は略Ｌ字状となっている。そして、第２平板部４４の先端部分には、貫通状の取付孔（接続部）４２が形成されている。この取付孔４２に対しては、電線や他の部品（図略）を、取付ボルト等の適宜の取付部材を介して取り付けることができるようになっている。
【００２４】
第１平板部４３は、細長い矩形状のオフセット部４５を有している。このオフセット部４５は、元の板部材の一部を厚み方向一側に押し出す（オフセットする）ようにプレス加工することで形成され、これにより第１平板部４３（平板部４１）の剛性が高められている。
【００２５】
このオフセット部４５におけるオフセット量の大きさ（高さ）は、バッテリー端子１１を構成する板部材の厚みとほぼ同じか、それより若干大きくなるように構成されている。また、オフセット部４５の端部に相当する位置において、第１平板部４３の縁部には切欠部４６が形成されている。
【００２６】
延長部５１は、締付部２１に接続するようにして一体的に形成されている。延長部５１が締付部２１に対して接続する位置は、締付部２１における前記抜差し方向の他端側（即ち、平板部４１が締付部２１に接続する位置とは反対側）であって、締付部２１がなす円弧状の輪郭の中央部分となっている。
【００２７】
延長部５１は、第１折返し部５３と、第１延長部５４と、曲げ部５５と、第２延長部５６と、第２折返し部５７と、を一体的に形成した構成となっている。以下、具体的に説明する。
【００２８】
延長部５１は、根元の部分でほぼ１８０°曲げられて第１折返し部５３を形成した後、前記抜差し方向とほぼ平行に延びる第１延長部（第１補助部）５４を形成している。この第１延長部５４は、締付部２１（前記抜差し方向）に沿う向きで当該締付部２１の外側近傍を通過するように配置され、その先端には、ほぼ垂直に折れ曲がる曲げ部５５が配置されている。この曲げ部５５は、前記平板部４１の根元部分４８の近傍に配置されている。
【００２９】
延長部５１は、曲げ部５５に接続する第２延長部（第２補助部）５６を有している。第２延長部５６は、平板部４１の第１平板部４３と平行な向きに（オフセット部４５の表面と接触しながら）延びるように形成されている。第２延長部５６の先端は、前記切欠部４６の部分で１８０°曲げられて第２折返し部（挟み部）５７を形成した後、オフセット部４５の反対側に折り返されている。
【００３０】
従って、延長部５１は、締付部２１及び平板部４１に沿うようにＬ字状に延びた後、その先端部で平板部４１（オフセット部４５）の部分を厚み方向に挟み込むことにより、平板部４１に対して機械的に固定される構造となっている。
【００３１】
また、第２折返し部５７の先端は、平板部４１のうち、凸状にオフセット部４５が形成された部分の裏側（凹となっている部分）に配置されている。従って、コンパクトな構成で、延長部５１を平板部４１に固定することができる。
【００３２】
以下、本実施形態の構成が奏する効果について、図２に示す比較例を参照しながら説明する。図２の比較例で示すバッテリー端子１００は、本実施形態の構成（図１）から、延長部５１及び切欠部４６を省略した構成に相当している。なお、比較例において本実施形態と同一又は類似の部材には図面に同一の符号を付し、説明を省略する場合がある。
【００３３】
この比較例（図２）の構成において、取付孔４２に電線や他の部品を取り付けた場合、電線及び部品の重量は平板部４１によって支持される。しかしながら、電線及び部品による負荷が平板部４１の根元部分４８に集中し易くなっており、振動等によって当該根元部分４８に荷重が繰り返し作用することにより、バッテリー端子１００が当該根元部分４８で破断してしまうおそれがある。
【００３４】
一方、本実施形態のバッテリー端子１１（図１）において、取付孔４２に電線や他の部品を取り付けた場合、電線及び部品の重量は、平板部４１だけでなく延長部５１によっても支えられることになる。この負荷の分散によって、平板部４１の根元部分４８（平板部４１と締付部２１との接続部分）に負荷が集中することが防止されるので、負荷が繰り返し発生しても材料の破断等が起こりにくくなり、バッテリー端子１１の信頼性を向上することができる。
【００３５】
以上に説明したように、本実施形態のバッテリー端子１１は、弧状の締付部２１と、一対の受け部３１，３１と、平板部４１と、延長部５１と、を備える。前記締付部２１の内側には、バッテリーポストを差し込んで取り付けることが可能である。一対の受け部３１，３１は、締付部２１の弧の両端部分から外向きに延びる。平板部４１は、締付部２１において、バッテリーポストの差込方向に平行な方向での一端部に接続するように一体的に形成される。また、平板部４１には、電線及び他部品のうち少なくとも何れかを電気的に接続可能な取付孔４２が設けられる。延長部５１は、締付部２１において、バッテリーポストの差込方向に平行な方向での他端部に接続するように一体的に形成される。また、延長部５１は、平板部４１に対して機械的に固定される。
【００３６】
これにより、平板部４１と締付部２１との間の接続部分（根元部分４８）を、延長部５１によって機械的に補強することができる。従って、平板部４１の取付孔４２に電線や他の部材を接続した状態で例えば振動が加わったとしても、前記根元部分４８に加わる負荷を抑制し、根元部分４８の破断を防止することができる。
【００３７】
また、本実施形態のバッテリー端子１１において、延長部５１は、平板部４１と締付部２１との接続箇所（根元部分４８）の近傍に配置された曲げ部５５を有している。
【００３８】
これにより、延長部５１の曲げ部５５を、前記根元部分４８の近傍に位置させることができる。従って、平板部４１の根元部分４８に加わる負荷を良好に抑制することができる。
【００３９】
また、本実施形態のバッテリー端子１１において、延長部５１は、締付部２１の外側近傍で当該締付部２１に沿って延びる第１延長部５４と、平板部４１と平行な向きに延びる第２延長部５６と、を有している。
【００４０】
これにより、締付部２１と平板部４１との接続部分（根元部分４８）を含んだ広い範囲について、延長部５１によって効果的に補強することができる。
【００４１】
また、本実施形態のバッテリー端子１１において、延長部５１は、当該延長部５１に形成された第２折返し部５７によって、平板部４１に対して機械的に固定されている。
【００４２】
これにより、簡素且つ低コストな構成によって、延長部５１を平板部４１に対して機械的に固定することができる。
【００４３】
次に、第２実施形態を説明する。図３は、第２実施形態のバッテリー端子１１ｘの斜視図である。なお、本実施形態の説明においては、前述の実施形態と同一又は類似の部材には図面に同一の符号を付し、説明を省略する場合がある。
【００４４】
第２実施形態のバッテリー端子１１ｘにおいては、第１実施形態において延長部５１の先端に形成されていた第２折返し部５７が省略されている。
【００４５】
一方で、第１平板部４３の根元部分の両脇には、立上げ部４９，４９の代わりに一対の保持部（挟み部）４９ｘ，４９ｘが形成されている。この保持部４９ｘ，４９ｘは、それぞれ１８０°折り返されて、延長部５１の曲げ部５５付近を挟み込むように構成されている。
【００４６】
これにより、延長部５１が平板部４１に対して機械的に固定され、第１実施形態と同様に、平板部４１と締付部２１の接続部分（根元部分４８）を補強することができる。また、本実施形態では、根元部分４８に近い箇所において延長部５１が平板部４１に固定されているので、延長部５１による根元部分４８の補強効果が優れたものとなっている。
【００４７】
以上に本発明の好適な実施の形態を説明したが、上記の構成は例えば以下のように変更することができる。
【００４８】
図１に示す第１実施形態の構成において、平板部４１側に折返し部を形成し、この折返し部が延長部５１の先端を挟み込むことで、延長部５１が平板部４１に対して機械的に固定される構成に変更することができる。
【００４９】
同様に、図３に示す第２実施形態の構成において、延長部５１の両側に保持部を形成し、この保持部が平板部４１を挟み込むことで、延長部５１が平板部４１に固定される構成に変更することができる。
【００５０】
更には、延長部５１が第２折返し部５７又は保持部４９ｘ，４９ｘによって平板部４１に固定される構成に代えて、例えば溶接等の手段によって延長部５１と平板部４１とを機械的に固定する構成に変更することができる。
【符号の説明】
【００５１】
１１  バッテリー端子
２１  締付部
３１  受け部
４１  平板部
４２  取付孔（接続部）
５１  延長部（補助部）
５４  第１延長部（第１補助部）
５５  曲げ部
５６  第２延長部（第２補助部）
【図１】
0005534898.tif 000002
【図２】
0005534898.tif 000003
【図３】
0005534898.tif 000004